(57)【要約】【課題】従来の受信装置では精度良く窓位置検出を行うことができなかった。【解決手段】電力算出回路２６ａでは、パイロット信号伝達特性より、２次元空間上の２次元フーリエ変換データ毎に電力を算出する。雑音抑制／窓係数算出回路２６では、電力算出回路２６ａから供される電力と閾値雑音電力ＮＰに基づいて窓係数を算出する。エイリアシング分離回路２６ｄでは、２次元フィルタ窓とＯＦＤＭ信号の最大電力位置に基づいてエイリアシング成分の除去を施して、窓係数決定情報を算出する。
2009125500.tif 000002
【特許請求の範囲】
【請求項１】
複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部と、
前記２次元データ領域内に配置されたパイロット信号に基づいて前記受信信号の各々に対する受信信号伝達特性を推定する伝達特性推定部と、
前記受信信号及び前記受信信号伝達特性に基づいて前記送信データを復号するデータ復号部と、を有する受信装置であって、
前記伝達特性推定部は、
前記２次元データ領域内に配置されたパイロット信号に対するパイロット信号伝達特性を算出する算出手段と、
前記パイロット信号伝達特性について２次元フーリエ変換を施して、伝送路遅延時間と伝送路変動周波数に対応した２次元空間上の２次元フーリエ変換データを生成する変換手段と、
前記２次元フーリエ変換データのうち特定領域内のデータ群を通過させるための窓係数決定情報を算出する供給手段と、
前記窓係数決定情報に基づいて確定された前記特定領域内のデータ群を選択抽出するフィルタ手段と、
前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段と、
を備え、
前記供給手段は、
前記２次元空間上の２次元フーリエ変換データに基づいて、前記２次元空間上の２次元フーリエ変換データ毎に電力を算出する電力算出手段と、
前記電力算出手段から供される前記電力と予め設定された閾値雑音電力に基づいて２次元フィルタ窓を算出する窓係数算出手段と、
前記２次元フィルタ窓と前記ＯＦＤＭ信号の最大電力位置に基づいてエイリアシング成分の除去を施して、窓係数決定情報を算出するエイリアシング分離手段と、
を備えることを特徴とする受信装置。
【請求項２】
請求項１記載の受信装置において、
前記供給手段は、
前記２次元空間を小区画に分割し、前記２次元空間上の２次元フーリエ変換データに基づいて、各々の区画における平均電力を算出し、算出した前記平均電力で最小のものを平均雑音電力とする平均雑音電力算出手段
を備え、
前記窓係数算出手段は、
前記平均雑音電力に基づいて前記閾値雑音電力（ＮＰｔｈ）を算出する
ことを特徴とする受信装置。
【請求項３】
請求項２記載の受信装置において、
前記窓係数算出手段は、
前記平均雑音電力に予め設定された係数を乗算して前記閾値雑音電力を算出する
ことを特徴とする受信装置。
【請求項４】
請求項２記載の受信装置において、
前記エイリアシング分離手段は、
前記２次元空間の各々にタグを割り付け、前記窓係数決定情報に、前記タグに関するタグ値を含めて前記フィルタ手段に供し、
前記フィルタ手段は、
前記窓係数決定情報に基づいて、前記特定領域内のデータ群を選択抽出する
ことを特徴とする受信装置。
【請求項５】
複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、
前記２次元データ領域内に配置されたパイロット信号に基づいて前記受信信号の各々に対する受信信号伝達特性を推定する伝達特性推定ステップと、
前記受信信号及び前記受信信号伝達特性に基づいて前記送信データを復号するデータ復号ステップと、を有する受信方法であって、
前記伝達特性推定ステップは、
前記２次元データ領域内に配置されたパイロット信号に対するパイロット信号伝達特性を算出する算出ステップと、
前記パイロット信号伝達特性について２次元フーリエ変換を施して、伝送路遅延時間と伝送路変動周波数に対応した２次元空間上の２次元フーリエ変換データを生成する変換ステップと、
前記２次元フーリエ変換データのうち特定領域内のデータ群を通過させるための窓係数決定情報を算出する供給ステップと、
前記窓係数決定情報に基づいて確定された前記特定領域内のデータ群を選択抽出するフィルタステップと、
前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、
を備え、
前記供給ステップは、
前記２次元空間上の２次元フーリエ変換データに基づいて、前記２次元空間上の２次元フーリエ変換データ毎に電力を算出する電力算出ステップと、
前記電力算出ステップで算出された前記電力と予め設定された閾値雑音電力に基づいて２次元フィルタ窓を算出する窓係数算出ステップと、
前記２次元フィルタ窓と前記ＯＦＤＭ信号の最大電力位置に基づいてエイリアシング成分の除去を施して、窓係数決定情報を算出するエイリアシング分離ステップと、
を備えることを特徴とする受信方法。
【発明の詳細な説明】
【技術分野】
【０００１】
本発明は、例えば、地上デジタル放送の受信装置等に関する。
【背景技術】
【０００２】
一般に、ＯＦＤＭ方式を用いた地上波デジタル放送では、映像や音声などの情報データの伝送を担うデータキャリア信号と共に、伝送路伝達特性の推定を容易にするためのパイロットキャリア信号が使用される。例えば、前述のＩＳＤＢ−ＴやＤＶＢ−Ｔ等の規格においては、分散パイロット(Ｓｃａｔｔｅｒｅｄ  Ｐｉｌｏｔ；ＳＰ）信号（以下“ＳＰ信号”と称する）と呼ばれるパイロットキャリア信号が規定されている。ＳＰ信号は、キャリア周波数とシンボル時間の２次元からなるＯＦＤＭシンボル空間を仮想した場合、同空間内において特定の位置に重畳されることが既知であり、かつその複素振幅、即ちＳＰ信号の絶対値振幅と位相も予め定められている。それ故、これらの規格によるデジタル放送を受信する受信装置では、ＳＰ信号を利用して電波伝搬経路の各キャリアに対する伝達特性を推定し、このような推定結果に基づいて受信信号に関する補正処理や等化処理を行うことが可能となる。【０００３】
従来の受信装置は、各キャリアに対する伝達特性の推定精度が低かったことを改善するため、ＯＦＤＭ信号シンボル空間内に配置されたパイロットキャリア信号の検波信号毎にその伝達関数を算出し、当該伝達関数をインパルス遅延時間とシンボル周波数とについて２次元フーリエ変換を施して２次元データ空間を生成している。さらに従来の受信装置は、当該２次元データ空間の所定領域をフィルタ抽出領域で抽出して、当該抽出領域に含まれるデータについてキャリア周波数とシンボル時間とについて２次元逆フーリエ変換を施して推定伝達関数を生成していた（特許文献１参照）。
【特許文献１】特許第３８０２０３１号公報
【発明の開示】
【発明が解決しようとする課題】
【０００４】
ところで、受信装置が設置される受信環境により後述するパワースペクトラム分布は大きく変化する。例えば、受信装置が車両などの移動体に搭載された場合、後述するパワースペクトラム分布は時間経過とともにも大きく変化する。また、ＡＤ変換器に使用されるクリスタルのサンプリング周波数が所望のサンプリング周波数と誤差が生じている場合、後述するパワースペクトラム分布は時間経過とともに時間軸方向に推移する。このように大きく変化するパワースペクトラム分布に対し、従来の受信装置のように固定領域を選択抽出するフィルタリング処理方法では精度の良い２次元フィルタ窓を算出することができなかった。【０００５】
本発明が解決しようとする課題には、上記した問題が一例として挙げられる。
【課題を解決するための手段】
【０００６】
上記課題を解決するために、請求項１記載の発明は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部と、前記２次元データ領域内に配置されたパイロット信号に基づいて前記受信信号の各々に対する受信信号伝達特性を推定する伝達特性推定部と、前記受信信号及び前記受信信号伝達特性に基づいて前記送信データを復号するデータ復号部と、を有する受信装置であって、前記伝達特性推定部は、前記２次元データ領域内に配置されたパイロット信号に対するパイロット信号伝達特性を算出する算出手段と、前記パイロット信号伝達特性について２次元フーリエ変換を施して、伝送路遅延時間と伝送路変動周波数に対応した２次元空間上の２次元フーリエ変換データを生成する変換手段と、前記２次元フーリエ変換データのうち特定領域内のデータ群を通過させるための窓係数決定情報を算出する供給手段と、前記窓係数決定情報に基づいて確定された前記特定領域内のデータ群を選択抽出するフィルタ手段と、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段と、を備え、前記供給手段は、前記２次元空間上の２次元フーリエ変換データに基づいて、前記２次元空間上の２次元フーリエ変換データ毎に電力を算出する電力算出手段と、前記電力算出手段から供される前記電力と予め設定された閾値雑音電力に基づいて２次元フィルタ窓を算出する窓係数算出手段と、前記２次元フィルタ窓と前記ＯＦＤＭ信号の最大電力位置に基づいてエイリアシング成分の除去を施して、窓係数決定情報を算出するエイリアシング分離手段と、を備える。【０００７】
上記課題を解決するために、請求項５記載の発明は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、前記２次元データ領域内に配置されたパイロット信号に基づいて前記受信信号の各々に対する受信信号伝達特性を推定する伝達特性推定ステップと、前記受信信号及び前記受信信号伝達特性に基づいて前記送信データを復号するデータ復号ステップと、を有する受信方法であって、前記伝達特性推定ステップは、前記２次元データ領域内に配置されたパイロット信号に対するパイロット信号伝達特性を算出する算出ステップと、前記パイロット信号伝達特性について２次元フーリエ変換を施して、伝送路遅延時間と伝送路変動周波数に対応した２次元空間上の２次元フーリエ変換データを生成する変換ステップと、前記２次元フーリエ変換データのうち特定領域内のデータ群を通過させるための窓係数決定情報を算出する供給ステップと、前記窓係数決定情報に基づいて確定された前記特定領域内のデータ群を選択抽出するフィルタステップと、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、を備え、前記供給ステップは、前記２次元空間上の２次元フーリエ変換データに基づいて、前記２次元空間上の２次元フーリエ変換データ毎に電力を算出する電力算出ステップと、前記電力算出ステップで算出された前記電力と予め設定された閾値雑音電力に基づいて２次元フィルタ窓を算出する窓係数算出ステップと、前記２次元フィルタ窓と前記ＯＦＤＭ信号の最大電力位置に基づいてエイリアシング成分の除去を施して、窓係数決定情報を算出するエイリアシング分離ステップと、を備える。
【発明を実施するための最良の形態】
【０００８】
以下、本発明の一実施の形態を図面を参照しつつ説明する。【０００９】
なお、以下に説明する全ての実施形態では、ＩＳＤＢ−Ｔによる地上波デジタル放送の部分受信装置を例にとって説明を行う。ＩＳＤＢ−Ｔの規格による場合、ＯＦＤＭシンボルは、図１に示されるような１３個のセグメントによって構成されており、各セグメントには、例えば、伝送モード１の場合、１０８波のキャリアが含まれている。そして、部分受信装置とは、この１３セグメントのうちの中央部に位置するセグメント０に含まれるキャリアのみを復調する受信装置のことである。【００１０】
また、以下の事例においては、ＩＳＤＢ−Ｔ規格で定められた複数の伝送モードのうち、伝送モード１の場合を例にとって説明を行う。なお、伝送モード１における各変調パラメータの諸値を図２に、また、説明中で使用する各定数パラメータの諸値を図３に示す。【００１１】
図４は、本実施形態における受信装置１の構成例を示すブロック図である。受信装置１は、主に、シンボル検波部１１、シンボル記憶部１２、周波数領域処理部１３、伝達特性推定部２０及びデータ復号部３０を有する。なお、図中における信号の流れ示す矢印は、各構成要素間の主要な信号の流れを示すものであり、例えば、このような主要信号に付随する応答信号や監視信号等の信号に関しては、図中の矢印と逆方向の向きに伝達される場合を含むものとする。さらに、図中の矢印は、各構成要素間における信号の流れを概念的に示すものであって、実際の装置において、各信号が矢印で示される経路の通りに忠実に授受される必要はない。また、実際の装置では、各構成要素が同図に示されるように忠実に区分されている必要もない。【００１２】
シンボル検波部１１は、順次送信されてくるシンボルに対して、各シンボルに含まれるキャリア群を検波して、これらのキャリアの複素振幅（以下、“キャリア振幅”と称する）Ｓｐ，ｋを求める。ここで、Ｓｐ，ｋとはｋ番目のシンボルのｐ番目のキャリア振幅を表し、キャリアインデックスｐについては、図５に示すように、チャンネル中央のキャリアがインデックスｐ＝０に対応するように割り振るものとする。すなわち、チャンネル中央のキャリアはＳ０，ｋに、セグメント０のキャリア群はＳ−５４，ｋ〜Ｓ５３，ｋに、それぞれ対応するものとする。シンボル検波部１１は、例えば、チューナー、Ａ／Ｄ変換器、伝送モード／ガードインターバル比検出器、ガードインターバル除去回路、及びＦＦＴ回路等の各構成回路によって構成されるが、その構成はこのような事例に限定されるものではない。【００１３】
次に、シンボル記憶部１２は、シンボル検波部１１から出力されるキャリア振幅のうち、チャンネル中央部のｎＸ個を選択して、これをシンボル時間方向についてｎＹシンボル時間分に亘り記憶する回路である。即ち、図６に示されるＯＦＤＭシンボル空間内の（２次元領域キャリア幅ｎＸ×２次元領域シンボル幅ｎＹ個）のキャリア群について、キャリア振幅Ｓｐ，ｑ（−ｎＸ／２≦ｐ＜ｎＸ／２，ｋ−ｎＹ＜ｑ≦ｋ）を記憶・保持する。以下の説明では、これらの記憶保持されたキャリア振幅を（ｐ，ｑ）空間上の２次元配列｛Ｓｐ，ｑ：（ｐ，ｑ）∈Ｚ２Ｄ｝と考えて説明を行う。【００１４】
なお、図６に示されるようにｐはキャリアインデックス、ｑはシンボルインデックスであり、それぞれのインデックスが、キャリア周波数とシンボル時間に対応している。また、Ｚ２Ｄの範囲は、キャリア周波数方向において、
−ｎＸ／２  ≦  ｐ  ＜  ｎＸ／２
として定義され、また、シンボル時間方向においては、
ｋ−ｎＹ  ＜  ｑ  ≦  ｋ
として定義される。【００１５】
なお、ＯＦＤＭシンボル空間である（ｐ，ｑ）空間上に２次元配列された各々のキャリア振幅情報と、各キャリアの属性（当該キャリアがＳＰ信号、又はデータキャリア信号である属性）との関係を図７に示す。同図からも明らかなように、ＳＰ信号は１２キャリアに１つの割合で重畳されており、その重畳位置は１シンボル毎に３キャリアずつ巡回推移する。【００１６】
周波数領域処理部１３は、フレーム同期処理、ＴＭＣＣ復調処理などを施し、シンボル毎に０から２０３までのシンボルカウント値を生成してシンボル記憶部１２に記憶する。なおシンボル記憶部１２は、周波数領域処理部１３から供されるシンボルカウント値をシンボル検波部１１から供されるシンボル毎に付随させる形で記憶する。【００１７】
データ復号部３０は、シンボル記憶部１２に記憶されたキャリア振幅データ群の中から、さらに、図６に示される推定領域ＺＥＳＴ（−ｗＸ／２≦ｐ＜ｗＸ／２，ｋ−ｎＹ／２−ｗＹ／２≦ｑ＜ｋ−ｎＹ／２＋ｗＹ／２）内のキャリア振幅｛Ｓｐ，ｑ：（ｐ，ｑ）∈ＺＥＳＴ｝を抽出して、これに復号処理を加える部分である。【００１８】
また、伝達特性推定部２０は、シンボル記憶部１２に記憶されたキャリア振幅に基づいて、上記推定領域ＺＥＳＴ内のキャリア振幅に対する推定伝達特性を算出して、これをデータ復号部３０に供する部分である。【００１９】
データ復号部３０は、シンボル記憶部１２からのキャリア振幅と、伝達特性推定部２０からの推定伝達特性に基づいて、等化、デインターリーブ、リードソロモン復号等の処理を行って、この結果得られる受信データを出力する。なお、伝達特性推定部２０は、連続するｗＹ個のシンボル区間について伝達特性の推定を行うので、受信した１シンボル毎のタイミングで動作する必要はなく、ｗＹシンボルを受信する毎に１回の割合で動作すれば良い。また、このような動作タイミングはデータ復号部３０の動作タイミングについても同様である。【００２０】
次に、伝達特性推定部２０の構成、及び動作について説明を行う。【００２１】
先ず、伝達特性推定部２０の構成を図８に示す。同図に示されるように、伝達特性推定部２０は、主に、ＳＰ伝達特性算出部２１、２次元フーリエ変換部２２、２次元フィルタ回路２３、２次元逆フーリエ変換回路２４、推定伝達特性出力回路２５、及びフィルタ係数決定回路２６から構成されている。なお、以下の説明では記載を簡略化すべく、これら各々の回路をそれぞれ、算出部２１、変換部２２、フィルタ回路２３、逆変換部２４、出力回路２５、及び決定回路２６と称する。以下の回路構成の詳細説明では、主として本実施形態において特有の構成である算出部２１、決定回路２６及び逆変換部２４を中心として説明し、その他の回路構成については動作説明において説明する。【００２２】
算出回路２１は、図９に示されるようにＳＰ伝達特性算出回路２１ａ及びＳＰ伝達特性抽出回路２１ｂを有する。このうちＳＰ伝達特性抽出回路を「抽出回路」と称する。ＳＰ伝達特性算出回路２１ａは、シンボル記憶部１２から供給されるキャリア振幅の中からＳＰ信号に関するキャリア振幅のみを抽出して、これを既知の送信複素振幅値で除算する。これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。抽出回路２１ｂは、ＳＰ信号が全く重畳されていないキャリアインデックスを除き、３キャリアインデックス毎のＳＰ信号伝達特性を変換部２２に供する。【００２３】
決定回路２６は、図１０に示されるように、電力算出回路２６ａ、平均雑音電力算出回路２６ｂ、雑音抑圧／窓係数算出回路２６ｃ及びエイリアシング分離回路２６ｄを有する。電力算出回路２６ａでは、(ｍ，ｎ)空間上における電力｛Ｐｍ，ｎ｝を算出し、平均雑音電力算出回路２６ｂ及び雑音抑圧／窓係数算出回路２６ｃに供する。平均雑音電力算出回路２６ｂでは、（ｍ，ｎ）空間上における電力｛Ｐｍ，ｎ｝に基づいて平均雑音電力ＮＰを算出し、平均雑音電力ＮＰを雑音抑圧／窓係数算出回路２６ｃに供する。雑音抑圧／窓係数算出回路２６ｃでは、平均雑音電力ＮＰに係数αを乗算した値と（ｍ，ｎ）空間上のデータ毎の電力｛Ｐｍ，ｎ｝に基づいて、（ｍ，ｎ）空間上における２次元フィルタ窓｛Ｗｍ，ｎ｝を算出する。雑音抑圧／窓係数算出回路２６ｃは、このように算出した２次元フィルタ窓｛Ｗｍ，ｎ｝をエイリアシング分離回路２６ｄに供する。エイリアシング分離回路２６ｄでは、後述するタグを用いたエイリアシング成分の除去を行う場合には、２次元フィルタ窓｛Ｗｍ，ｎ｝と外部からの最大電力位置とに基づいてエイリアシング分離を行い、２次元フィルタ窓｛Ｗ’ｍ，ｎ｝とタグ｛Ｔａｇｍ，ｎ｝を算出し、フィルタ回路２３に供する。上記最大電力位置とは、（ｍ，ｎ）空間上における時間軸（ｍ軸）方向で、受信電力が最大となる位置のことを意味している。また、このタグを用いたエイリアシング成分の除去処理方法は、本実施形態において必ずしも行われなければならない訳ではなく、等価な処理であればタグを用いない処理方法でも良い。【００２４】
逆変換部２４は、図１１に示されるように逆フーリエ変換回路２４ａ、乗算回路２４ｂ及びフーリエ変換回路２４ｃを有する。逆フーリエ変換回路２４ａは、シンボルインデックス方向のデータに対し、逆フーリエ変換処理を全キャリアインデックスにわたり施す。乗算回路２４ｂは、複素回転因子係数（ｅｘｐ（−ｊωｏｔ））を各キャリアに対して乗算する。なおｊは虚数単位を表しており、ｅｘｐ（ｘ）は複素数関数を表している。フーリエ変換回路２４ｃは、キャリアインデックス方向のデータに対し、フーリエ変換処理を全シンボルインデックスに亘り施すことで推定伝達特性を算出し、出力回路２５に提供する。つまり乗算回路２４ｂ及びフーリエ変換回路２４ｃはキャリアインデックス方向に演算を行っている。【００２５】
続いて、伝達特性推定部２０の動作を説明する。上述のようにＩＳＤＢ−Ｔ規格の地上波デジタル放送では、ＯＦＤＭシンボル空間のキャリア配列中におけるＳＰ信号の存在位置、及び送信時におけるＳＰ信号の複素振幅値は、予め定められている。それ故、算出部２１は、シンボル記憶部１２から供給されるキャリア振幅の中からＳＰ信号に関するキャリア振幅のみを抽出して、これを既知の送信複素振幅値で除算する。これによって、（ｐ，ｑ）空間上に点在するＳＰ信号に関し、その伝達特性｛Ｈｐ，ｑ：（ｐ，ｑ）∈Ｚ２Ｄ｝を求めることができる。このような算出手順は以下の通りである。【００２６】
算出部２１は、図９に示されるＳＰ伝達特性算出回路２１ａが、シンボル記憶部１２から供給されるキャリア振幅の中からＳＰ信号に関するキャリア振幅のみを抽出して、これを既知の送信複素振幅値で除算する。【００２７】
ＳＰ伝達特性算出回路２１ａは、図６に示される領域Ｚ２Ｄ内の全ての要素（ｐ，ｑ）について、Ｓｐ，ｑがＳＰ信号に相当する場合は、
Ｈｐ，ｑ＝Ｓｐ，ｑ／Ｒｐ，ｑ
として、当該ＳＰ信号に関する伝達特性Ｈｐ，ｑを求める。ここで、Ｒｐ，ｑは、既知であるＳＰ信号の送出複素振幅値である。【００２８】
一方、ＳＰ伝達特性算出回路２１ａは、ＳＰ信号以外のデータキャリア信号に対しては、
Ｈｐ，ｑ＝０
として、その伝達関数｛Ｈｐ，ｑ｝を定める。【００２９】
これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。【００３０】
抽出回路２１ｂは、ＳＰ信号が全く重畳されていないキャリアインデックスを除き、３キャリアインデックス毎のＳＰ信号伝達特性｛Ｈｐ，ｑ｝を変換部２２に供する。【００３１】
つまり、１２キャリアに１つの割合で重畳されていたＳＰ信号は、図１３に示されるように３キャリア毎にしか存在しないようになる。そして重畳位置が１シンボル毎に３キャリアずつ巡回推移していたＳＰ信号は、その重畳位置が１シンボル毎に１キャリアずつ巡回推移している。【００３２】
即ち、図１２に示されるＯＦＤＭシンボル空間内のキャリア群について、２Ｄ−ＦＦＴ領域Ｚ’２Ｄ（−ｍＸ／２≦ｐ＜ｍＸ／２，ｋ−ｎＹ＜ｑ≦ｋ）のＳＰ信号伝達特性{Ｈ’ｐ，ｑ：(ｐ,ｑ)∈Ｚ’２Ｄ}を変換部２２に供する。また、同図において推定領域Ｚ’ＥＳＴの範囲を（−ｖＸ／２≦ｐ＜ｖＸ／２，ｋ−ｎＹ／２−ｗＹ／２≦ｑ＜ｋ−ｎＹ／２＋ｗＹ／２）とする。【００３３】
変換部２２は、（ｐ，ｑ）空間上のＳＰ信号伝達特性｛Ｈ’ｐ，ｑ｝について、２次元フーリエ変換を施して、これを（ｍ，ｎ）空間上のＳＰ信号伝達特性｛ｈｍ，ｎ：（ｍ，ｎ）∈Ｚ’ＴＲＡ｝に変換する。すなわち、（ｐ，ｑ）空間のキャリア周波数方向（ｐ方向）については、ＩＦＦＴ（逆高速フーリエ変換）処理を施すことで周波数領域を時間領域に変換し、シンボル時間方向（ｑ方向）については、ＦＦＴ（高速フーリエ変換）処理を施すことで時間領域を周波数領域に変換する。【００３４】
この結果、２次元フーリエ変換後の（ｍ，ｎ）空間では、そのｍ軸方向が時間の次元に、そのｎ軸方向が周波数の次元に、それぞれ対応することになる。また、（ｐ，ｑ）空間上の領域Ｚ’２Ｄが、（ｍ，ｎ）空間上に変換された領域Ｚ’ＴＲＡに対応し、同領域は、ｍ軸方向において、
−ｍＸ／２  ≦  ｍ  ＜  ｍＸ／２
として定義され、また、ｎ軸方向において、
−ｎＹ／２  ≦  ｎ  ＜  ｎＹ／２
として定義される。【００３５】
ところで、変換部２２において２Ｄフーリエ変換処理を施して算出したＳＰ信号伝達特性｛ｈｍ，ｎ｝は、ＳＰ信号の規則的な配置により以下の性質を有する。なおＳＰ信号伝達特性｛ｈｍ，ｎ｝はｈ（ｍ，ｎ）に相当する。
ｈ（ｍ＆（ｍＸ−１），ｎ＆（ｎＹ−１））
＝ｈ（ｍ＆（ｋＸ−１），（ｎ＋ｋ×ｎＹ／４）＆（ｎＹ−１））
×ｅｘｐ（−ｊ×２π／４×（ｋ×ｃｏ４））  ・・・（１）
ｃｏ４＝（ｓｙｍｃｏ＋（２＜＜ｍｏｄｅ））＆３
ｋ＝（４−ｆｌｏｏｒ（（（ｍ＆（ｍＸ−１）＋（ｋＸ／２））／ｋＸ））＆３
ｋＸ＝ｍＸ／４【００３６】
変数ｍｏｄｅは伝送モードを表しており、例えばモード１のときは０、モード２のときは１、モード３のときは２である。変数ｓｙｍｃｏは、変換部２２に供されるシンボル群の内、ｑ軸原点に配置、記憶されているシンボル、すなわちｑ＝ｋ−２５５シンボルに付随するシンボルカウント値である。関数ｆｌｏｏｒ（ｘ）はｘ以下の最大の整数値を計算する関数である。【００３７】
図１４は、ＳＰ信号伝達特性｛ｈｍ，ｎ｝のパワースペクトラム分布｛｜ｈｍ，ｎ｜２｝であり、上述した性質を説明する図である。図１４においては（ｍ，ｎ）空間は（−ｍＸ／２≦ｍ＜ｍＸ／２、−ｎＹ／２≦ｎ＜ｎＹ）の範囲で表現されているが、（１）式では（０≦ｍ＜ｍＸ、０≦ｎ＜ｎＹ）の範囲で定義されている。即ち、図１４における（ｍ，ｎ）空間上でｍ＝−１は（１）式ではｍ＝ｍＸ−１として定義されている。【００３８】
即ち、（１）式の右辺第一項目ｈ（ｍ＆（ｋＸ−１），（ｎ＋ｋ×ｎＹ／４）＆（ｎＹ−１））は図１４の領域Ｈのみを示している。よって、（１）式は図１４の領域ＨのＳＰ信号伝達特性から（ｍ，ｎ）空間上の任意のＳＰ信号伝達特性｛ｈｍ，ｎ｝を容易に算出することができることが示されている。よって、（１）式は（ｍ，ｎ）空間上でＳＰ信号伝達特性｛ｈｍ，ｎ｝は１つの独立変数群と３つの従属変数群から成立していることを意味している。この性質を呼称として性質Ａと呼ぶこととする。【００３９】
図１５は、変換部２２の出力であるＳＰ信号伝達特性｛ｈｍ，ｎ｝のパワースペクトラム分布｛｜ｈｍ，ｎ｜２}を示す図である。【００４０】
本実施形態では、変換部２２に３キャリアインデックス毎のＳＰ信号伝達特性｛Ｈ’ｐ，ｑ｝を供するため、変換部２２の出力であるＳＰ信号伝達特性｛ｈｍ，ｎ｝のパワースペクトラム分布｛｜ｈｍ，ｎ｜２｝は、ｍ軸方向については有効シンボル長Ｔｅの１／３までの遅延時間を表している。ｎ軸方向についてはシンボル送出周波数Ｆａの周波数を表している。【００４１】
また、（ｐ，ｑ）空間を２次元フーリエ変換した後の（ｍ，ｎ）空間上では、上述のように、そのｍ軸は時間に、そのｎ軸は周波数にそれぞれ対応している。これを、より正確に表現すれば、ｍ軸は伝送路のインパルス応答の遅延時間に対応し、ｎ軸は伝送路特性の変動周波数（ドップラー周波数）に対応している。それ故、（ｍ，ｎ）空間上に表れる伝送路伝達特性のパワースペクトラムは、受信環境に応じて（ｍ，ｎ）空間上の特定領域に集中する傾向を示す。【００４２】
例えば、受信装置１の周囲に高層ビル等の建物が存在しない郊外地域での静止受信（第１受信環境）の場合、受信電波のマルチパスによる遅延広がりは小さく、ｍ軸方向の分散は少ない。また、受信装置１が固定されているので伝送路特性の時間的変動も小さいのでｎ軸方向に対する分散も少なくなる。図１５は、このような受信環境下における（ｍ，ｎ）空間上のＳＰ信号伝達特性のパワースペクトラム分布│ｈｍ，ｎ│２を示すものであり、同図において、黒点部分及びその周囲の斜線部分はパワースペクトラム分布の濃密を擬似的に表したものである。【００４３】
一方、図１５の領域Ａの外側に点在している複数のパワースペクトラム分布は、本来の伝送路伝達特性のパワースペクトラムのエイリアシング成分である。即ち、算出部２１は、本来（ｐ，ｑ）空間の全領域で定義されるべき信号伝達特性のうち、ＳＰ信号位置の伝達特性のみを算出して、これ以外の領域についてはＨｐ，ｑ＝０として、零補間により伝達特性を近似している。つまり、算出部２１の出力であるＳＰ信号伝達特性｛Ｈ’ｐ，ｑ｝は、受信信号の伝達特性をＳＰ信号の重畳点でサンプリングしたものであり、この結果、エイリアシング成分が（ｍ，ｎ）空間上に生じる。そして、後述する２次元フィルタ窓に要求される条件は、これらのエイリアシング成分を除去することにある。【００４４】
さらに、２次元フィルタ窓に要求される条件として、受信信号に含まれる雑音成分を抑圧する機能が挙げられる。因みに、このような雑音成分抑圧機能を高めるには、直感的に理解されるように、２次元フィルタ窓の通過域を狭く、即ち、図１５に示される領域Ａの面積を小さくすればよい。【００４５】
つまり、２次元フィルタ窓に要求される諸条件に鑑みれば、２次元フィルタ窓は、（ｍ，ｎ）空間上の適正な位置に設けられ、かつ伝送路伝達特性のパワースペクトラムのみを通過させる必要最小限の大きさを持つことが望ましい。例えば、受信装置１が図１５に示される受信環境の環境下でのみ使用されるならば、２次元フィルタ窓の通過域を、（ｍ，ｎ）空間上の原点付近の、きわめて狭い領域にのみ設定すれば良い。【００４６】
しかしながら、（ｍ，ｎ）空間上における伝送路伝達特性のパワースペクトラム分布は、受信環境により大きく変化する。例えば、高層ビル等の建物が多い都会地域では、反射波によるマルチパス遅延が大きくなり、そのパワースペクトラム分布は、図１７に示すようにｍ軸方向に拡がった分布となる。また、受信装置が車両等の移動体に搭載されて用いられる受信環境下では、伝送路特性の時間的変動が大きくなり、そのパワースペクトラム分布は、図１８に示すようにｎ軸方向に拡がった分布となる。【００４７】
つまり、様々な受信環境により大きく変化するパワースペクトラム分布に応じた、適応的な雑音抑圧とエイリアシング成分の除去を行うことが２次元フィルタ窓には要求される。【００４８】
上述した性質Ａで説明したように（ｍ，ｎ）空間上におけるＳＰ信号伝達特性｛ｈｍ，ｎ｝は独立変数群とその独立変数群に従属した３つの従属変数群から成立している。後述するエイリアシング成分の除去は、この内独立変数群のみを抽出し、他の３つの従属変数群を除去することを行う処理である。【００４９】
上記処理の具体例として、上述したＳＰ信号伝達特性｛ｈｍ，ｎ｝の性質Ａを利用してエイリアシング成分の除去を行う場合について説明する。具体的には、まずＳＰ信号伝達特性｛ｈｍ，ｎ｝の領域の内任意の１／４領域に限定する、例えば図１４における領域Ｈである中央１／４領域（−ｋＸ／２≦ｍ＜ｋＸ／２、−ｎＹ／２≦ｎ＜ｎＹ／２）に限定することでエイリアシング成分の除去を簡易的に行う。次に、限定した領域Ｈに後述するタグ付けを行うことで、受信環境に応じた適応的なエイリアシング成分の除去を行うようにする。要するに、限定した領域ＨにおけるＳＰ信号伝達特性各々について、上述した性質Ａでの独立変数群とその独立変数に従属した３つの従属変数群の内どの変数群に属するかタグ付けを行う。このようにタグ付けを行うことで、限定しない（ｍ，ｎ）空間上で独立変数群のみを上述した性質Ａを利用し算出する。【００５０】
よって、決定回路２６において図１４の領域ＨのみのＳＰ信号伝達特性｛ｈｍ，ｎ｝に基づき、係数決定情報として２次元フィルタ窓｛Ｗ’ｍ，ｎ｝とタグ｛Ｔａｇｍ，ｎ｝を算出し、フィルタ回路２３において図１４の領域ＨのみのＳＰ信号伝達特性｛ｈｍ，ｎ｝と係数決定情報としての２次元フィルタ窓｛Ｗ’ｍ，ｎ｝とタグ｛Ｔａｇｍ，ｎ｝に基づき、推定伝達特性｛ｇｍ，ｎ｝を算出する場合の説明を行う。【００５１】
図１０は、図８に示す決定回路２６の構成例を示すブロック図である。決定回路２６は、電力算出回路２６ａ、平均雑音電力算出回路２６ｂ、雑音抑圧／窓係数算出回路２６ｃ及びエイリアシング分離回路２６ｄを有する。【００５２】
電力算出回路２６ａでは、(ｍ，ｎ)空間上における電力｛Ｐｍ，ｎ｝を算出し、平均雑音電力算出回路２６ｂ及び雑音抑圧／窓係数算出回路２６ｃに供する。電力算出回路２６ａでは、変換部２２から供されるＳＰ信号伝達特性｛ｈｍ，ｎ｝に基づいて、（ｍ，ｎ）空間上のデータ毎にその電力｛Ｐｍ，ｎ｝を下記の式ように算出している。なお、Ｐ（ｍ，ｎ）は｛Ｐｍ，ｎ｝に、ｈ（ｍ，ｎ）は｛ｈｍ，ｎ｝に相当する。
Ｐ（ｍ，ｎ）＝｜ｈ（ｍ，ｎ）｜２
【００５３】
平均雑音電力算出回路２６ｂでは、（ｍ，ｎ）空間上における電力｛Ｐｍ，ｎ｝に基づいて平均雑音電力ＮＰを算出し、平均雑音電力ＮＰを雑音抑圧／窓係数算出回路２６ｃに供する。具体的には、平均雑音電力算出回路２６ｂでは、（ｍ，ｎ）空間上における電力｛Ｐｍ，ｎ｝を図１６に示すように小区画に分割し、各々の区画における平均電力を算出する。破線で区切られた小区画内には例として各々の区画における平均電力を示す。このように算出した平均電力で最小のものを平均雑音電力ＮＰとし、雑音抑圧／窓係数算出回路２６ｃに供する。【００５４】
雑音抑圧／窓係数算出回路２６ｃでは、平均雑音電力ＮＰに係数αを乗算した値と（ｍ，ｎ）空間上のデータ毎の電力｛Ｐｍ，ｎ｝に基づいて、（ｍ，ｎ）空間上における２次元フィルタ窓｛Ｗｍ，ｎ｝を算出する。雑音抑圧／窓係数算出回路２６ｃは、このように算出した２次元フィルタ窓｛Ｗｍ，ｎ｝をエイリアシング分離回路２６ｄに供する。具体的には、雑音抑圧／窓係数算出回路２６ｃでは、平均雑音電力ＮＰの係数αを乗算したものを閾値雑音電力ＮＰｔｈとして下記のように算出する。
ＮＰｔｈ＝α×ＮＰ【００５５】
雑音抑圧／窓係数算出回路２６ｃは、電力算出回路より供される電力｛Ｐｍ，ｎ｝と閾値雑音電力ＮＰｔｈに基づいて、２次元フィルタ窓｛Ｗｍ，ｎ｝を下記のように算出する。（ｍ，ｎ）空間において、電力｛Ｐｍ，ｎ｝が閾値雑音電力ＮＰｔｈより大きい時は｛Ｗｍ，ｎ｝を
Ｗ（ｍ，ｎ）＝０
と設定し、電力｛Ｐｍ，ｎ｝が閾値雑音電力ＮＰｔｈ以下の時は｛Ｗｍ，ｎ｝を
Ｗ（ｍ，ｎ）＝（Ｐ（ｍ，ｎ）−ＮＰｔｈ）／Ｐ（ｍ，ｎ）
と設定することで、雑音成分の抑圧を行うようにする。次に、算出した２次元フィルタ窓｛Ｗｍ，ｎ｝をエイリアシング分離回路２６ｄに供する。【００５６】
ここで注意したいことは、平均雑音電力ＮＰは小区画の平均電力の内で最小値を設定した為係数αを１と設定した場合、雑音成分を十分抑圧できるとは限らない。そのような場合、係数αを１以上の適切な値に設定することで雑音成分を十分抑圧することが可能である。例えば係数αを２に設定した場合は、平均雑音電力ＮＰより３ｄＢ大きな電力値を基準として、雑音成分の抑圧処理を施し、２次元フィルタ窓｛Ｗｍ，ｎ｝を算出する。【００５７】
エイリアシング分離回路２６ｄでは、後述するタグを用いたエイリアシング成分の除去を行う場合には、２次元フィルタ窓｛Ｗｍ，ｎ｝と外部からの最大電力位置とに基づいてエイリアシング分離を行い２次元フィルタ窓｛Ｗ’ｍ，ｎ｝とタグ｛Ｔａｇｍ，ｎ｝を算出し、フィルタ回路２３に供する。上記最大電力位置とは、（ｍ，ｎ）空間上における時間軸（ｍ軸）方向で、受信電力が最大となる位置のことを意味している。より具体的には、送信局からの受信電力が最大となる主波の位置を（ｍ，ｎ）空間上の時間軸（ｍ軸）上で相対的に表したものである。また、このタグを用いたエイリアシング成分の除去処理は、本実施形態において必ずしも行われなければならない訳ではなく、等価な処理であればタグを用いない処理方法でも良い。【００５８】
エイリアシング分離回路２６ｄは、上述した外部として、例えば、シンボル検波部１１から最大電力位置を取得するようにしても良い。具体的には、シンボル検波部１１では一般的なガードインターバル相関を用いたシンボル同期処理で検出した相関のピーク位置に基づいて（ｍ，ｎ）空間上の最大電力位置を算出するようにしても良い。なおエイリアシング分離回路２６ｄは、このように外部から最大電力位置を取得しなくても、図１５に示すパワースペクトラム分布よりｍ軸上で電力が最大となる位置を検出し、検出結果を最大電力位置として取得するようにしても良い。エイリアシング分離回路２６ｄの詳細な手順例は、後にフローチャートを用いて説明を行う。【００５９】
フィルタ回路２３は、変換部２２で（ｍ，ｎ）空間上にフーリエ変換されたデータ群に対して、所定のフィルタリング処理を施す回路である。【００６０】
フィルタ回路２３では、変換部２２より供されるＳＰ信号伝達特性｛ｈｍ，ｎ｝と、決定回路２６より供される２次元フィルタ窓｛Ｗ’ｍ，ｎ｝とタグ｛Ｔａｇｍ，ｎ｝に基づいて推定伝達特性｛ｇｍ，ｎ｝を算出し、逆変換部２４に供する。また、フィルタ回路２３の詳細な手順例は、後にフローチャートを用いた説明を行う。【００６１】
逆変換部２４は、フィルタ回路２３から供された推定伝達特性｛ｇｍ，ｎ｝に、２次元フーリエ変換の逆処理である２次元逆フーリエ変換を施して、｛ｇｍ，ｎ｝から（ｐ，ｑ）空間上の推定伝達特性｛Ｇｐ，ｑ：（ｐ，ｑ）∈Ｚ２Ｄ｝を算出する。【００６２】
逆変換部２４は、図１１に示される逆フ−リエ変換回路２４ａが、シンボルインデックス方向（ｎ軸方向）について逆フーリエ変換処理を全キャリアインデックスにわたり施すことで周波数領域から時間領域に変換する。【００６３】
乗算回路２４ｂは、時間領域においてキャリアインデックス方向（ｍ軸方向）について、ｍＸ区間で所定の位相回転が生じるように複素回転因子係数（ｅｘｐ（−ｊωｏｔ））を乗算する。なおｊは虚数単位を表しており、ｅｘｐ（ｘ）は複素指数関数を表している。【００６４】
フーリエ変換回路２４ｃは、キャリアインデックス方向（ｍ軸方向）について、フーリエ変換処理を施すことで時間領域から周波数領域に変換する。【００６５】
なお、逆変換部２４を、上記特許文献１と同様に逆フーリエ変換回路２４ａとフーリエ変換回路２４ｃのみで構成した場合、逆変換部２４で算出される推定伝達特性は｛Ｇ’ｐ，ｑ：（ｐ，ｑ）∈Ｚ’２Ｄ｝となり、推定領域はＺ’ＥＳＴとなる。伝達特性推定部２０が伝達特性を推定すべき領域はＺＥＳＴであるのに対し、推定領域Ｚ’ＥＳＴはキャリア方向について１／３の領域となっている。これはＳＰ伝達特性抽出回路２１ｂでＳＰ信号伝達特性{Ｈｐ，ｑ：（ｐ，ｑ）∈Ｚ２Ｄ}を３キャリア毎に抽出したＳＰ信号伝達特性{Ｈ’ｐ，ｑ：（ｐ，ｑ）∈Ｚ’２Ｄ}を変換部２２へ供給しているからであり、算出される推定伝達特性についても３キャリアインデックス毎の結果となる。【００６６】
よって、本実施形態の逆変換部２４は、逆フーリエ変換回路２４ａにおいてシンボル方向（ｎ軸方向）に逆フーリエ変換処理を施す。次に、後述する周波数移動定理を用いて、乗算回路２４ｂにおいて、キャリア方向に複素回転因子係数を乗算した後に、フーリエ変換回路２４ｃにおいてキャリア方向にフーリエ変換を施すことをシンボル毎に３回行うことで、推定領域ＺＥＳＴの範囲を含む推定伝達特性{Ｇｐ，ｑ：（ｐ，ｑ）∈Ｚ２Ｄ}を算出する。逆変換部２４で算出された推定伝達特性｛Ｇｐ，ｑ｝は、出力回路２５に供される。【００６７】
例えば、具体的に時間軸においてｍＸ区間でそれぞれ位相が０Π、２／３Π、４／３Π回転するような複素回転因子係数を乗算した後にフーリエ変換を施すことで、周波数軸においてそれぞれキャリアインデックスt＝３・ｐ、t＝３・ｐ＋１、t＝３・ｐ＋２（−ｍＸ≦ｐ＜ｍＸ）位置での推定伝達特性を算出することができ、領域Ｚ２Ｄの範囲における推定伝達特性が算出される。【００６８】
＜周波数移動定理について＞
Ｆ（ω）とｆ（ｔ）がフーリエ変換対であるならば、下記の式が成り立つ。
ｆ（ｔ）×ｅｘｐ（ｊω０ｔ）  ⇔  Ｆ（ω−ω０）
上記の式は「周波数領域でのω０の移動は、時間領域でのｅｘｐ（ｊω０ｔ）を乗算することと等価である」という定理を示している。【００６９】
出力回路２５は、データ復号部３０が抽出した推定領域ＺＥＳＴのキャリア振幅に対応する推定伝達特性｛Ｇｐ，ｑ：（ｐ，ｑ）∈ＺＥＳＴ｝が抽出されて、このような抽出データをデータ復号部３０に供する。【００７０】
なお、伝達特性推定部２０からデータ復号部３０に、Ｚ２Ｄ全領域についての推定伝達特性を出力しないのは、（ｐ，ｑ）空間の周辺部では、領域端部の影響により推定伝達特性に誤差が生じるためである。このような端部の影響を軽減するには、例えば、２次元領域キャリア幅ｎＸ、及び２次元領域シンボル幅ｎＹの具体的数値として、本実施形態の値よりも更に大きな値を用いれば良い。本実施形態では、推定領域シンボル幅ｗＹとしてｗＹ＝２０４なる値を用いているが、推定領域シンボル幅ｗＹはこのような値に限定されるものではない。同様に、推定領域キャリア幅ｗＸについても、本実施形態では、１セグメント部分受信装置の構成を考えて同セグメントに含まれるキャリア数に相当するｗＸ＝１０８なる値を用いたが、これについてもこのような値に限定されるものではない。例えば、伝送帯域の中央に配置された３セグメントを受信復調する受信装置の場合はｗＸ＝３２４とすれば良い。【００７１】
本実施形態においては、受信環境に応じた雑音抑圧処理、エイリアシング成分の除去処理（エイリアシング分離処理）を適応的に行うことで、精度の良い係数決定情報を算出することができる。またその結果として、精度良く推定伝達特性を算出することができる。【００７２】
次にエイリアシング分離処理の手順例を、具体的にフローチャートを用いて説明を行う。図１９は、エイリアシング分離処理の手順例を示すフローチャートである。なおエイリアシング分離処理は、決定回路２６のエイリアシング分離回路２６ｄによって実行される処理を表している。以下の説明においては、一例として、上述したタグを用いたエイリアシング成分の除去処理を含めて説明する。なお「←」は右辺の値を左辺の変数に代入することを意味している。また、フローチャートでは雑音抑圧／窓係数算出回路２６ｃの出力である２次元フィルタ窓｛Ｗｍ，ｎ｝に上書きするように記述しているが、上書きした２次元フィルタ窓｛Ｗｍ，ｎ｝を｛Ｗ’ｍ，ｎ｝としてフィルタ回路２３に供するものとする。【００７３】
エイリアシング分離処理はまずタグの初期化処理が行われる（ステップＳ２００）。次にステップＳ１０３では、エイリアシング分離回路２６ｄがｍ軸方向インデックスｘと最大電力位置ｐｏｓに基づいて、現在のデフォルトタグ値ｊａを算出する。なお関数「ｆｌｏｏｒ（ｘ）」は、ｘ以下の最大の指数を計算する関数を表しており、記号「＆」は、その左右に記載された変数などをビット単位で論理積演算することを表している。最大電力位置ｐｏｓは、フィルタ係数決定回路２６の外部から入力される値で、Ｔｅ／３区間における主波（受信電力値が最大の電波）のｍ軸上での位置を示す。なお最大電力位置ｐｏｓは−４×ｋＸ≦ｐｏｓ＜４×ｋＸを満たす値である。【００７４】
次にステップＳ１０１，Ｓ１０９，Ｓ１１０に示されるように、ｍ軸方向に−ｋＸ（−Ｔｅ／２４）からｋＸ／２（Ｔｅ／２４）区間の走査を行い、ｍ軸方向インデックスｘａとデフォルトタグ値ｊａに基づいて第１ステップ処理を施す（ステップＳ３００）。ステップＳ１０５では、後述する第２ステップ処理（ステップＳ４００）で用いるデフォルトタグ値ｊｂを算出している。第２ステップ処理では、ｍ軸方向インデックスｘａとデフォルトタグ値ｊｂに基づいて、第１ステップ毎にタグ値ｊｂを更新しながら３回ずつ処理を施す。【００７５】
図２０は、図１９に示すタグの初期化処理の手順例を示すフローチャートである。【００７６】
（ｍ，ｎ）空間上におけるタグの初期化処理は、ｎ軸（周波数）インデックスに基づき行う。ｎ軸上を４分割した（ｍ，ｎ）空間に対し、図２１に示すようにタグ値（図示の「０」、「１」、「２」、「３」に相当）を割り当てていき、ステップＳ２０６でメモリ（図示のＴａｇ（ｘａ，ｙａ）に相当）に格納する。このタグ値は、例えば、図２２に示すｍ軸上にデータを展開する場合に用いられる。【００７７】
例えば、静止受信環境下のように観測されるパワースペクトラムの分布がｎ軸上に±Ｆａ／８以上に広がっていない場合は、このタグ値（図示の「０」、「１」、「２」、「３」に相当）に基づき、図２２に示すようにｍ軸上にデータを展開することでエイリアシング成分の除去を行う。【００７８】
図２３は、図１９に示す第１ステップ処理の処理例を示すフローチャートである。第１ステップ処理は、ｍ軸方向インデックスｘａとデフォルトタグｊａに基づいて、ｎ軸方向のスペクトラム分布の連続性を評価することでタグ｛Ｔａｇｍ，ｎ｝と２次元フィルタ窓｛Ｗｍ，ｎ｝の更新を行っている。【００７９】
ステップＳ３０１ａでは、デフォルトタグ値ｊａに基づいてｎ軸上の位置ｙｇが算出される。次のステップＳ３０３〜ステップＳ３１６は、位置ｙｇを中心に±ｎＹ／２の範囲でｎ軸について走査が行われる（ステップＳ３０２，Ｓ３１０，Ｓ３１２）。まずステップＳ３０３，Ｓ３０４では、評価すべきｎ軸のプラス方向の位置ｙａとマイナス方向の位置ｙｂがそれぞれデフォルトタグ値ｊａに基づき算出される。【００８０】
次にステップＳ３０５では判定フラグｆｌｇの値を評価し条件分岐する。もし判定フラグｆｌｇの値が０の場合、タグ｛Ｔａｇｍ，ｎ｝の値が更新される（ステップＳ３０６，Ｔ３０７）。なおタグ｛Ｔａｇｍ，ｎ｝は図示のＴａｇ（ｍ，ｎ）に相当する。【００８１】
そしてステップＳ３０８，Ｓ３０９では、それぞれ２次元フィルタ窓｛Ｗｍ，ｎ｝値が０を越えない場合、ｎ軸方向のスペクトラム分布の連続性が途切れたと判断される。ステップＳ３１１では判定フラグｆｌｇに１が代入される。【００８２】
一方、上記ステップＳ３０５において判定フラグｆｌｇが１である場合、ステップＳ３１３では、プラス方向の位置ｙａのタグ｛Ｔａｇｍ，ｎ｝がデフォルトタグ値ｊａと等しいか否かについて判定され、等しい場合には、その位置の２次元フィルタ窓｛Ｗｍ，ｎ｝（図示のＷ（ｘａ，ｙａ））が０に更新される（ステップＳ３１４）。さらにマイナス方向の位置ｙｂについても、これらステップＳ３１３，Ｓ３１４とほぼ同様なステップＳ３１５，Ｓ３１６の処理が行われる。【００８３】
図２４は、第２ステップ処理の処理例を示すフローチャートである。ステップＳ４０１ａでは、デフォルトタグ値ｊｂに基づいてｎ軸上の位置ｙｇが算出される。次に示すステップＳ４０３〜ステップＳ４１６は、位置ｙｇを中心に±ｎＹ／８の範囲でｎ軸について走査が行われる（ステップＳ４０２，Ｓ４１０，Ｓ４１２）。【００８４】
ステップＳ４０３，Ｓ４０４では、評価すべきｎ軸のプラス方向の位置ｙａとマイナス方向の位置ｙｂがデフォルトタグ値ｊａに基づき算出される。ステップＳ４０５では、判定フラグｆｌｇの値が評価され条件分岐する。【００８５】
ステップＳ４０５において判定フラグｆｌｇの値が０である場合、ステップＳ４０６，Ｓ４０７においてタグ{Ｔａｇｍ，ｎ}（図示の「Ｔａｇ（ｘａ，ｙａ）に相当）がデフォルトタグ値ｊｂと異なっているとき、もしくはステップＳ４０８，Ｓ４０９において２次元フィルタ窓｛Ｗｍ，ｎ｝値が０を越えないとき、ｎ軸方向のスペクトラム分布の連続性が途切れたと判断される。ＳＴ４１１では判定フラグｆｌｇに１が代入される。【００８６】
ステップＳ４０５において判定フラグｆｌｇの値が１である場合、ステップＳ４１３においてプラス方向の位置ｙａのタグ｛Ｔａｇｍ，ｎ｝がデフォルトタグ値ｊｂと等しいときには、その位置の２次元フィルタ窓｛Ｗｍ，ｎ｝（図示の「Ｗ（ｘａ，ｙａ）に相当）が０に更新される（ステップＳ４１４）。一方、マイナス方向の位置ｙｂのタグ｛Ｔａｇｍ，ｎ｝についても、ステップＳ４１３，Ｓ４１４とほぼ同様な処理を行う（ステップＳ４１５，ＳＴ４１６）。【００８７】
次に２Ｄフィルタ回路処理の手順例を、具体的にフローチャートを用いて説明を行う。図２５は、２Ｄフィルタ回路処理の処理例を示すフローチャートである。なお、この２Ｄフィルタ回路処理は、フィルタ回路２３によって実行される処理を示している。この２Ｄフィルタ回路処理は、上述したタグが割り付けられていることに対して行うべき処理が含められている。２Ｄフィルタ回路処理は、詳細は後述するが、例えば回転係数初期化処理（ステップＳ５００）、推定伝達特性初期化処理（ステップＳ７００）及び２Ｄフィルタ演算処理（ステップＳ６００）を有する。【００８８】
図２６は、図２５に示す回転係数初期化処理の処理例を示すフローチャートである。ステップＳ５０２では、位相が各々０°、９０°、１８０°、２７０°の回転係数が順次メモリｔｒａ（ｔ）に格納される。このステップＳ５０２は、例えば４回に亘り実行される（ステップＳ５０１，Ｓ５０３，Ｓ５０４）。【００８９】
図２７は、図２７に示す推定伝達特性初期化処理における処理のフローチャートである。ステップＳ７０５では、(ｍ，ｎ）空間全領域における推定伝達特性｛ｇｍ，ｎ｝を０に設定する。ここでいう推定伝達特性｛ｇｍ，ｎ｝は図示のｇ（ｘａ，ｙａ）に相当する。つまりこのステップＳ７０５は、−４×ｋＸ／２≦ｍ＜４×ｋＸ／２、かつ、−ｎＹ／２≦ｎ＜ｎＹ／２を満たすまで繰り返し実行される（ステップＳ７０１，Ｓ７０３，Ｓ７０６，Ｓ７０７，Ｓ７０８，Ｓ７０９）。【００９０】
図２８は、図２５に示す２Ｄフィルタ演算処理の処理例を示すフローチャートである。ステップＳ６０１における変数ｍｏｄｅは伝送モードを表しており、モード１の時は０、モード２の時は１、モード３の時は２である。また、変数ｓｙｍｃｏは、変換部２２に供されるシンボル群の内、ｑ軸原点に配置、記憶されているシンボルのシンボルカウント値である。【００９１】
ステップＳ６０１では、変数ｍｏｄｅ，ｓｙｍｃｏに基づいて値ｃｏ４が算出される。図２８のステップＳ６０５，Ｓ６０６，Ｓ６０７では、ステップＳ６０１で算出した値ｃｏ４とタグ値Ｔａｇ（ｘａ，ｙａ）に基づいて回転係数の（位相）インデックスｚが算出される。ステップＳ６０８，Ｓ６０９ではタグ値に基づき、推定伝達特性{ｇｍ，ｎ｝を算出する為のインデックスｘｅ，ｙｅを算出する。【００９２】
ステップＳ６１０では、ＳＰ信号伝達特性｛ｈｍ，ｎ｝（図示のｈ（ｘａ，ｙａ）に相当）と２次元フィルタ窓｛Ｗ’ｍ，ｎ｝（図示のＷ’（ｘａ，ｙａ）に相当）、回転係数に基づき、推定伝達特性｛ｇｍ，ｎ｝（図示のｇ（ｘｅ，ｙｅ）に相当）を算出する。以上のようなステップＳ６０３〜ステップＳ６１０の各処理は、−ｋＸ／２≦ｘ＜ｋＸ／２、かつ、−ｎＹ／２≦ｎ＜ｎＹ／２を満たすまで繰り返し実行される（ステップＳ６０２，Ｓ６０４，Ｓ６１１，Ｓ６１２，Ｓ６１３，Ｓ６１４）。【００９３】
次に、２Ｄ逆フーリエ変換処理の手順例を、具体的にフローチャートを用いて説明を行う。図２９は、２Ｄ逆フーリエ変換処理の手順例を示すフローチャートである。逆フーリエ変換処理は逆変換部２４によって実行される。【００９４】
シンボル方向逆フーリエ変換処理（Ｓ−ＩＦＦＴ処理とも称する）は、（ｐ，ｑ）空間についてシンボル方向に逆フーリエ変換を行う処理を示している（ステップＳ８００ａ）。キャリア方向フーリエ変換処理（Ｃ−ＩＦＦＴ処理とも称する）は、（ｐ，ｑ）空間についてキャリア方向にフーリエ変換を行う処理を示している（ステップＳ９００）。【００９５】
以下の説明においては各計算式が次のように表される。なお下記の式においては、「ＦＦＴ」がフーリエ変換を施す関数を示しており、「ＩＦＦＴ」が逆フーリエ変換を施す関数を示している。【００９６】
１．ｎについての１Ｄ（１次元）フーリエ変換処理
Ｆ（ｐ，ｑ）＝ＦＦＴ（ｆ（ｐ，ｎ））ｄｎ【００９７】
２．ｑについての１Ｄ（１次元）逆フーリエ変換処理
ｆ（ｍ，ｎ）＝ＩＦＦＴ（Ｆ（ｍ，ｑ））ｄｑ【００９８】
図３０は、図２９に示すシンボル方向逆フーリエ変換処理の手順例を示すフローチャートである。なお以降の各フローチャートにおける記号「←」は左辺の変数に右辺の値や式を設定することを表している。【００９９】
ステップＳ８０２では、シンボル方向カウンタ値ｎについて逆フーリエ変換処理を行う。当該ステップＳ８０２は、キャリア方向に２次元領域キャリア幅ｋＸ回繰り返し行われる（ステップＳ８０１，Ｓ８０３，Ｓ８０４ａ）。【０１００】
図３１は、図２９に示すキャリア方向フーリエ変換処理の手順例を示すフローチャートである。【０１０１】
ステップＳ１０００では回転因子乗算処理が実行される。この回転因子乗算処理は、繰り返し回数インデックスｋとキャリアインデックスｍに基づいた回転因子係数をキャリア方向に乗算する。この回転因子乗算処理の詳細については後述する。【０１０２】
ステップＳ９０３では、キャリアインデックスｍについてフーリエ変換処理を行う。ステップＳ１１００では推定領域抽出処理が実行される。この推定領域抽出処理は推定領域の推定伝達特性を抽出している。この推定領域抽出処理は、推定領域幅ｖＸ（図６の推定領域キャリア幅ｗＸ／３に相当）の推定伝達特性のみを抽出し、図示しないメモリに格納する。これらステップＳ１０００，Ｓ９０３，Ｓ１１００は一例として１シンボル毎に３回に亘り繰り返される（ステップＳ９０２，Ｓ９０４，Ｓ９０５）。当該フローチャートでは、２次元領域シンボル幅ｎＹに亘り、当該キャリア方向のフーリエ変換処理が繰り返し実行されているが（ステップＳ９０１，Ｓ９０６，Ｓ９０７）、推定領域シンボル幅ｗＹに亘り繰り返し実行されるようにしても良い。【０１０３】
図３２は、図３１に示す回転因子乗算処理の具体的な手順例を示すフローチャートである。【０１０４】
ステップＳ１００２ａでは、繰り返し回数インデックスｋとキャリアインデックスｍに基づいて、回転因子係数の複素指数ｐｈを算出している。ステップＳ１００３ａでは変数ｚが算出される。ステップＳ１００４では、ステップＳ１００２で算出した複素指数ｐｈを用いて回転因子係数ｅｘｐ（ｐｈ）を乗算している。これらステップＳ１００２ａ，Ｓ１００３ａ，Ｓ１００４は、推定領域キャリア幅ｋＸ／２に亘り繰り返し実行される（ステップＳ１００１ａ，Ｓ１００５，Ｓ１００６ａ）。【０１０５】
図３３は、図３１に示す推定領域抽出処理の具体的な手順例を示すフローチャートである。なおｎＴはキャリア方向算出範囲パラメータを表しており、本実施形態ではｎＴ＝ｗＸ／３と設定される（ステップＳ１１０１ａ）。また対象キャリア算出変数ｃは、処理の対象とすべきキャリアを特定するための算出用変数を表している。【０１０６】
ステップＳ１１０４ａでは、変数ｚが設定される。ステップＳ４０５では、キャリア方向フーリエ変換毎に算出される推定伝達特性を３キャリアインデックスごとに図示しないメモリに格納している。ステップＳ１１０６では、対象とすべきキャリアを３キャリア毎とするため、対象キャリア算出変数ｃが３インクリメントされる。【０１０７】
以上のようなステップＳ１１０４ａ，Ｓ１１０５，Ｓ１１０６が一例として３キャリア毎に−ｎＴ／２〜ｎＴ／２に亘り実行される（ステップＳ１１０１，Ｓ１１０２，Ｓ１１０３，Ｓ１１０７，Ｓ１１０８）。【０１０８】
以上説明したように、本実施形態における受信装置１は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部１１（シンボル検波部）と、前記２次元データ領域内に配置されたパイロット信号に基づいて前記受信信号の各々に対する受信信号伝達特性を推定する伝達特性推定部２０と、前記受信信号及び前記受信信号伝達特性に基づいて前記送信データを復号するデータ復号部３０と、を有する受信装置１であって、前記伝達特性推定部２０は、前記２次元データ領域内に配置されたパイロット信号に対するパイロット信号伝達特性を算出する算出手段２１（ＳＰ信号伝達特性算出部）と、前記パイロット信号伝達特性について２次元フーリエ変換を施して、伝送路遅延時間と伝送路変動周波数に対応した２次元空間上の２次元フーリエ変換データを生成する変換手段２２（２Ｄフーリエ変換回路）と、前記２次元フーリエ変換データのうち特定領域内のデータ群を通過させるための窓係数決定情報を算出する供給手段２６（フィルタ係数決定回路）と、前記窓係数決定情報に基づいて確定された前記特定領域内のデータ群を選択抽出するフィルタ手段２３（２Ｄフィルタ回路）と、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段２４（２Ｄ逆フーリエ変換回路）と、を備え、前記供給手段２６は、前記２次元空間上の２次元フーリエ変換データに基づいて、前記２次元空間上の２次元フーリエ変換データ毎に電力を算出する電力算出手段２６ａ（電力算出回路）と、前記電力算出手段２６ａから供される前記電力と予め設定された閾値雑音電力に基づいて２次元フィルタ窓｛Ｗｍ，ｎ｝を算出する窓係数算出手段２６ｃ（雑音抑制／窓係数算出回路）と、前記２次元フィルタ窓｛Ｗｍ，ｎ｝と前記ＯＦＤＭ信号の最大電力位置に基づいてエイリアシング成分の除去施して、窓係数決定情報を算出するエイリアシング分離手段２６ｄ（エイリアシング分離回路）と、を備えることを特徴とする。【０１０９】
本実施形態における受信方法は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、前記２次元データ領域内に配置されたパイロット信号に基づいて前記受信信号の各々に対する受信信号伝達特性を推定する伝達特性推定ステップと、前記受信信号及び前記受信信号伝達特性に基づいて前記送信データを復号するデータ復号ステップと、を有する受信方法であって、前記伝達特性推定ステップは、前記２次元データ領域内に配置されたパイロット信号に対するパイロット信号伝達特性を算出する算出ステップと、前記パイロット信号伝達特性について２次元フーリエ変換を施して、伝送路遅延時間と伝送路変動周波数に対応した２次元空間上の２次元フーリエ変換データを生成する変換ステップと、前記２次元フーリエ変換データのうち特定領域内のデータ群を通過させるための窓係数決定情報を算出する供給ステップと、前記窓係数決定情報に基づいて確定された前記特定領域内のデータ群を選択抽出するフィルタステップと、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、を備え、前記供給ステップは、前記２次元空間上の２次元フーリエ変換データに基づいて、前記２次元空間上の２次元フーリエ変換データ毎に電力を算出する電力算出ステップと、前記電力算出ステップで算出された前記電力と予め設定された閾値雑音電力に基づいて２次元フィルタ窓を算出する窓係数算出ステップと、前記２次元フィルタ窓と前記ＯＦＤＭ信号の最大電力位置に基づいてエイリアシング成分の除去を施して、窓係数決定情報を算出するエイリアシング分離ステップと、を備えることを特徴とする。【０１１０】
これらのようにすると、それぞれ、受信環境によりパワースペクトラム分布が大きく変化する場合でも、ｎ軸（周波数）方向に連続的にパワースペクトラム分布が広がることを利用して適応的にエイリアシング成分の除去を行うことにより、精度の良い窓係数決定情報を算出することができる。またその結果として精度の良い推定伝達特性を算出することができる。【０１１１】
上記実施形態における受信装置１は、上述した構成に加えてさらに、前記供給手段２６は、前記２次元空間を小区画に分割し、前記２次元空間上の２次元フーリエ変換データに基づいて、各々の区画における平均電力を算出し、算出した前記平均電力で最小のものを平均雑音電力ＮＰとする平均雑音電力算出手段２６ｃ（平均雑音電力算出部）を備え、前記窓係数算出手段２６ｃ（雑音抑制／窓係数算出回路）は、前記平均雑音電力ＮＰに基づいて前記閾値雑音電力ＮＰｔｈを算出することを特徴とする。【０１１２】
このように平均雑音電力ＮＰを算出すると、精度の良い２次元フィルタ窓｛Ｗｍ，ｎ｝を算出することができる。【０１１３】
上記実施形態における受信装置１は、上述した構成に加えてさらに、前記窓係数算出手段２６ｃ（窓係数算出回路）は、前記平均雑音電力に係数αを乗算して前記閾値雑音電力ＮＰｔｈを算出することを特徴とする。【０１１４】
このようにすると、係数αの設定により、雑音成分を十分に抑圧することが可能となる。【０１１５】
上記実施形態における受信装置１は、上述した構成に加えてさらに、前記エイリアシング分離回路２６ｄ（エイリアシング分離手段）は、前記２次元空間の各々にタグを割り付け、前記窓係数決定情報に、前記タグに関するタグ値を含めて前記フィルタ手段２３（２Ｄフィルタ回路）に供し、前記フィルタ手段２３は、前記窓係数決定情報に基づいて、前記特定領域内のデータ群を選択抽出することを特徴とする。【０１１６】
このようにすると、フィルタ回路２６に供されるＳＰ信号伝達特性｛ｈｍ，ｎ｝の（ｍ，ｎ）空間上で任意の１／４の領域に基づいて、精度良く窓係数決定情報を算出することができる。【０１１７】
＜実施形態の変形例＞
ところで、上記図１４は、変換部２２の出力であるＳＰ信号伝達特性｛ｈｍ，ｎ｝のパワースペクトラム分布｛｜ｈｍ，ｎ｜２｝であり、後述する性質Ａを示す図である。なお（ｍ，ｎ）空間はＯＦＤＭシンボル空間に相当する。【０１１８】
変換部２２において２Ｄフーリエ変換処理を施して算出したＳＰ信号伝達特性｛ｈｍ，ｎ｝は、ＳＰ信号の規則的な配置により以下の性質を有する。なおＳＰ信号伝達特性｛ｈｍ，ｎ｝はｈ（ｍ，ｎ）に相当する。
ｈ（ｍ＆（ｍＸ−１），ｎ＆（ｎＹ−１））
＝ｈ（ｍ＆（ｋＸ−１），（ｎ＋ｋ×ｎＹ／４）＆（ｎＹ−１））
×ｅｘｐ（−ｊ×２π／４×（ｋ×ｃｏ４））  ・・・（２）
ｃｏ４＝（ｓｙｍｃｏ＋（２＜＜ｍｏｄｅ））＆３
ｋ＝（４−ｆｌｏｏｒ（（（ｍ＆（ｍＸ−１）＋（ｋＸ／２））／ｋＸ））＆３
ｋＸ＝ｍＸ／４【０１１９】
変数ｍｏｄｅは伝送モードを表しており、例えばモード１のときは０、モード２のときは１、モード３のときは２である。変数ｓｙｍｃｏは、変換部２２に供されるシンボル群の内、ｑ軸原点に配置、記憶されているシンボル、すなわち図１３におけるｑ＝ｋ−２５５シンボルに付随するシンボルカウント値である。関数ｆｌｏｏｒ（ｘ）はｘ以下の最大の整数値を計算する関数である。【０１２０】
図１４においては（ｍ，ｎ）空間は（−ｍＸ／２≦ｍ＜ｍＸ／２、−ｎＹ／２≦ｎ＜ｎＹ）の範囲で表現されているが、（２）式では（０≦ｍ＜ｍＸ、０≦ｎ＜ｎＹ）の範囲で定義されている。即ち、図１４における（ｍ，ｎ）空間上でｍ＝−１は（２）式ではｍ＝ｍＸ−１として定義されている。【０１２１】
即ち、（２）式の右辺第一項目ｈ（ｍ＆（ｋＸ−１），（ｎ＋ｋ×ｎＹ／４）＆（ｎＹ−１））は図１４の領域Ｈのみを示している。よって、（２）式は領域ＨのＳＰ信号伝達特性から（ｍ，ｎ）空間上の任意のＳＰ信号伝達特性｛ｈｍ，ｎ｝を容易に算出することができることが示されている。よって、（２）式は（ｍ，ｎ）空間上でＳＰ信号伝達特性｛ｈｍ，ｎ｝は１つの独立変数群と３つの従属変数群から成立していることを意味している。この性質を呼称として性質Ａと呼ぶこととする。【０１２２】
要するに、図１４の領域ＨにあたるＳＰ信号伝達特性のみを算出するように工夫することで、さらに変換部２２の演算処理量の削減を行うことが期待できる。以下に示す実施形態の変形例は、上記性質Ａを利用することで変換部２２の演算処理量をさらに削減することを目的としたものである。【０１２３】
図３４は、実施形態の変形例による受信装置１ａの構成例を示すブロック図である。実施形態の変形例による受信装置１ａは、本実施形態による受信装置１とほぼ同様の構成でありほぼ同様の動作を行う。このため実施形態の変形例では、同一の構成及び動作については本実施形態における図１乃至図３３と同一の符号を用いるとともに、その説明を省略し、以下の説明では異なる点を中心として説明する。【０１２４】
実施形態の変形例による受信装置１ａは、本実施形態による伝達特性推定部２０の代わりに、当該伝達特性推定部２０とほぼ同様の機能を有する伝達特性推定部２０ａを有する。【０１２５】
図３５は、図３４に示される伝達特性推定部２０ａの構成例を示すブロック図である。実施形態の変形例による伝達特性推定部２０ａは、本実施形態における伝達特性推定部２０とは、主として、算出部２１の一部の機能が異なるとともに、変換部２２の構成及び機能が異なっている。【０１２６】
本実施形態では、算出部２１のＳＰ伝達特性算出回路２１ａが、例えば３キャリアインデックス毎にＳＰ信号の伝達特性｛Ｈｐ，ｑ｝を抽出していたが、これに対して実施形態の変形例では、ＳＰ伝達特性抽出回路２１ａが、例えば１２キャリアインデックス毎にＳＰ信号のみの伝達特性｛Ｈｐ，ｑ｝を抽出する。【０１２７】
算出部２１は、上記図９に示されるＳＰ伝達特性算出回路２１ａが、シンボル記憶部１２から供給されるキャリア振幅の中からＳＰ信号に関するキャリア振幅のみを抽出して、これを既知の送信複素振幅値で除算する。【０１２８】
ＳＰ伝達特性算出回路２１ａは、図６に示される領域Ｚ２Ｄ内の全ての要素（ｐ，ｑ）について、Ｓｐ，ｑがＳＰ信号に相当する場合は、
Ｈｐ，ｑ＝Ｓｐ，ｑ／Ｒｐ，ｑ
として、当該ＳＰ信号に関する伝達特性｛Ｈｐ，ｑ｝を求める。ここで、｛Ｒｐ，ｑ｝は、既知であるＳＰ信号の送出複素振幅値である。【０１２９】
一方、ＳＰ伝達特性算出回路２１ａは、ＳＰ信号以外のデータキャリア信号に対しては、
Ｈｐ，ｑ＝０
として、その伝達関数｛Ｈｐ，ｑ｝を定める。【０１３０】
これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。【０１３１】
抽出回路２１ｂは、ＳＰ信号位置のＳＰ信号伝達特性｛Ｈｐ，ｑ｝のみを抽出し変換部２２ｘに供する。具体的には、抽出回路２１ｂは、図３７に示されるＳＰ信号位置のみのＳＰ信号伝達特性を抽出し、図３８に示されているようにキャリア方向に詰める形にして変換部２２ｘに供する。【０１３２】
このように、変換部２２ｘに供するＳＰ信号伝達特性をＳＰ信号位置のキャリアに限定することにより、変換部２２ｘの演算処理量をさらに削減することができる。【０１３３】
上述のように変換部２２ｘに供されるＳＰ信号伝達特性｛Ｈ”ｐ，ｑ｝は、図３６に示すようにＯＦＤＭ空間内に配置されている。実施形態の変形例における２Ｄフーリエ変換領域の範囲Ｚ”２Ｄは、
−ｋＸ／２≦ｐ＜ｋＸ／２  ；  ｋ−ｎＹ＜ｑ≦ｋ
と定義される。また推定領域Ｚ”ＥＳＴは、
−ｕＸ／２≦ｐ＜ｕＸ／２  ；  ｋ−ｎＹ／２−ｗＹ／２＜ｑ≦ｋ−ｎＹ／２＋ｗＹ／２
と定義される。【０１３４】
変換部２２ｘは、ＳＰ伝達特性算出部２１から供された（ｐ，ｑ）空間上のＳＰ信号伝達特性｛Ｈ”ｐ，ｑ｝について、２次元フーリエ変換を施して、これを（ｍ，ｎ）空間上のＳＰ信号伝達特性｛ｈｍ，ｎ：（ｍ，ｎ）∈Ｚ’ＴＲＡ｝に変換する。変換部２２ｘはこれをフィルタ回路２３と決定回路２６に出力する。【０１３５】
つまり変換部２２ｘは、図３９に示される逆フーリエ変換回路２２ａ及び乗算回路２２ｂがキャリアインデックス方向に処理を施し、フーリエ変換回路２２ｃがシンボルインデックス方向に処理を施す。【０１３６】
即ち、変換部２２ｘに供されるＳＰ信号伝達特性は図３８に示されるようにキャリア方向に縮退され、本来図３７に示されるような（ｐ、ｑ）空間上の重畳位置とは異なり、シンボル毎にキャリア方向にＳＰ信号の重畳位置がずれていない。そこで、変換部２２ｘでは前述した周波数移動定理を用いて、シンボル毎にキャリア方向に逆フーリエ変換回路２２ａにて逆フーリエ変換処理を施した後に、乗算回路２２ｂにて所定の複素回転因子係数を乗算することで、逆フーリエ変換処理前の時間軸において所望の位置だけ相対的にずれた結果を算出する。【０１３７】
具体的に複素回転因子係数は、シンボル記憶部１２より供されるシンボル毎に付随したシンボルカウント値と伝送モードに基づいて決定される。よって、複素因子係数はシンボル毎に更新され、本実施形態の場合において、その周期は４シンボルとなる。【０１３８】
次に、フーリエ変換回路２２ｃにおいて、シンボル方向にフーリエ変換処理を施すことで、（ｍ，ｎ）空間上のＳＰ信号伝達特性｛ｈ’ｍ，ｎ｝を算出する。【０１３９】
変換部２２ｘで算出したＳＰ信号伝達特性｛ｈ’ｍ，ｎ｝のパワースペクトラム分布｛｜ｈ’ｍ，ｎ｜２｝は図４０に示されるように、ｍ軸方向については有効シンボル長Ｔｅの１／１２までの遅延時間となり、ｎ軸方向についてはシンボル送出周波数Ｆａ分の周波数となる。また、変換部２２ｘで算出されたＳＰ信号伝達特性｛ｈ’ｍ，ｎ｝は上述した性質Ａの説明で用いた図１４の領域Ｈの部分に相当する。上述した性質Ａを利用すれば、変換部２２ｘで算出したＳＰ信号伝達特性｛ｈ’ｍ，ｎ｝から本実施形態における変換部２２で算出したＳＰ信号伝達特性｛ｈｍ，ｎ｝に容易に変換が可能である。即ち、変換部２２ｘはＳＰ信号伝達特性｛ｈｍ，ｎ｝をフィルタ回路２３、決定回路２６に出力する。【０１４０】
よって、決定回路２６、フィルタ回路２３、逆変換部２４、出力回路２６については上記実施形態と同様の処理を行えばよい。これら決定回路２６、フィルタ回路２３、逆変換部２４、出力回路２５については、上記実施形態と同様であるので説明を省略する。【０１４１】
図４１は、２Ｄフーリエ変換処理の手順例を示すフローチャートである。この２Ｄフ−リエ変換処理は変換部２２ｘによって実施される処理を表している。２Ｄフ−リエ変換処理は、キャリア方向逆フーリエ変換処理（ステップＳ１５００に相当）及びシンボル方向フーリエ変換処理（ステップＳ１６００に相当）を有する。キャリア方向逆フーリエ変換処理は、図４２に示されるようにシンボル方向に沿って繰り返しフーリエ変換処理（ステップＳ１５０１）が実施される（ステップＳ１５０２，Ｓ１５０３）。【０１４２】
図４３は、図４１に示されるキャリア方向逆フーリエ変換処理の手順例を示すフローチャートである。ステップＳ１６０２では、伝送モードｍｏｄｅとシンボルカウント値ｓｙｍｃｏに基づいてシンボル毎のキャリア方向のずれ量ｓを算出する。伝送モードｍｏｄｅは、例えばモード１のときは０、モード２のときは１、モード３のときは２である変数である。シンボルカウント値ｓｙｍｃｏは、変換部２２ｘに供されるシンボル群の内、ｑ軸原点に配置、記憶されているシンボル、すなわち図３８におけるｑ＝ｋ−２５５シンボルに付随するシンボルカウント値である。ステップＳ１６０３ではキャリア方向のフーリエ変換処理を施す。【０１４３】
ステップＳ１６０５では、ステップＳ１６０２で算出したずれ量ｓとキャリアインデックスｍに基づいて、回転因子係数の複素指数ｐｈを算出する。ステップＳ１６０７ではフーリエ変換処理された｛Ｈ”ｚ，ｑ｝（Ｈ”（ｚ，ｑ）に相当）に回転因子係数ｅｘｐ（ｐｈ）を乗算する。上記処理をキャリア方向にｋＸ回繰り返し、シンボル方向にｎＹ回繰り返し施す。【０１４４】
したがって、実施形態の変形例によれば、算出部２１において変換部２２ｘに供するＳＰ信号伝達特性｛Ｈｐ，ｑ｝を限定し、変換部２２ｘにおいて演算を工夫することにより、本実施形態に比べ、推定伝達特性の精度を低下させることなく、さらに演算量を削減することができる。【０１４５】
なお、本実施形態は、上記に限られず、種々の変形が可能である。以下、そのような変形例を順を追って説明する。【０１４６】
上記実施形態においては、フィルタ係数決定回路２６が上述のように平均雑音電力ＮＰを算出しているが、これに限られず、予め設定した値の平均雑音電力ＮＰを用いても良い。この場合、フィルタ係数決定回路２６から平均雑音電力算出回路２６ｂを省略することができる。【０１４７】
また、以上既に述べた以外にも、上記実施形態や各変形例による手法を適宜組み合わせて利用しても良い。
【図面の簡単な説明】
【０１４８】
【図１】ＩＳＤＢ−Ｔ規格によるＯＦＤＭシンボルの構成を示す図である。
【図２】ＩＳＤＢ−Ｔ規格による伝送モード１による各変調パラメータの処置を示す図である。
【図３】本実施形態で用いられる各定数パラメータの処置を示す図である。
【図４】本実施形態による受信装置の構成例を示すブロック図である。
【図５】セグメントとキャリアインデックスとの関係を示す説明図である。
【図６】ＯＦＤＭシンボル空間の構成例を示す説明図である。
【図７】ＯＦＤＭシンボル空間に配置されたキャリアの属性を示す説明図である。
【図８】図１に示す伝達特性推定部の構成例を示すブロック図である。
【図９】図８に示す算出回路の構成例を示すブロック図である。
【図１０】図８に示すフィルタ係数決定回路の構成例を示すブロック図である。
【図１１】図８に示す逆変換部の具体的な構成例を示すブロック図である。
【図１２】ＯＦＤＭシンボル空間の構成を示す説明図である。
【図１３】ＯＦＤＭシンボル空間に配置されたキャリアの属性を示す説明図である。
【図１４】２Ｄフーリエ変換部から出力されるＳＰ信号伝達特性のパワースペクトラム分布を示す図である。
【図１５】２Ｄフーリエ変換部の出力であるＳＰ信号伝達特性のパワースペクトラム分布を示す図である。
【図１６】ＯＦＤＭシンボル空間の一部を小区画に分けた様子の一例を示す図である。
【図１７】静止受信における短遅延マルチパス環境下のパワースペクトラム分布の一例を示す図である。
【図１８】移動受信環境下でのパワースペクトラムの分布例を示す分布図である。
【図１９】エイリアシング分離処理の手順例を示すフローチャートである。
【図２０】図１９に示すタグの初期化処理の手順例を示すフローチャートである。
【図２１】図３６に示す特定領域にタグ値を割り当てた様子の一例を示す図である。
【図２２】図２１に示すタグ値に基づきｍ軸上にデータを展開してエイリアシング成分を除去する様子を示す図である。
【図２３】図１９に示す第１ステップ処理の処理例を示すフローチャートである。
【図２４】第２ステップ処理の処理例を示すフローチャートである。
【図２５】２Ｄフィルタ回路処理の処理例を示すフローチャートである。
【図２６】図２５に示す回転係数初期化処理の処理例を示すフローチャートである。
【図２７】図２７に示す推定伝達特性初期化処理における処理のフローチャートである。
【図２８】図２５に示す２Ｄフィルタ演算処理の処理例を示すフローチャートである。
【図２９】２Ｄ逆フーリエ変換処理の手順例を示すフローチャートである。
【図３０】図２９に示すシンボル方向逆フーリエ変換処理の手順例を示すフローチャートである。
【図３１】図２９に示すキャリア方向フーリエ変換処理の手順例を示すフローチャートである。
【図３２】図３１に示す回転因子乗算処理の具体的な手順例を示すフローチャートである。
【図３３】図３１に示す推定領域抽出処理の具体的な手順例を示すフローチャートである。
【図３４】実施形態の変形例による受信装置の構成例を示すブロック図である。
【図３５】図３４に示される伝達特性推定部の構成例を示すブロック図である。
【図３６】ＯＦＤＭシンボル空間の構成を示す説明図である。
【図３７】ＯＦＤＭシンボル空間に配置されたキャリアの属性を示す説明図である。
【図３８】ＯＦＤＭシンボル空間に配置されたキャリアの属性を示す説明図である。
【図３９】２Ｄフーリエ変換部を示すブロック図である。
【図４０】実施形態の変形例における変換部から出力されるＳＰ信号伝達特性のパワースペクトラム分布を示す図である。
【図４１】２Ｄフーリエ変換処理の手順例を示すフローチャートである。
【図４２】図４１に示されるシンボル方向フーリエ変換処理の手順例を示すフローチャートである。
【図４３】図４１に示されるキャリア方向逆フーリエ変換処理の手順例を示すフローチャートである。
【符号の説明】
【０１４９】
１                受信装置
１ａ              受信装置
１１              シンボル検波部（信号検波部）
１２              シンボル記憶部
２０              伝達特性推定部
２０ａ            伝達特性推定部
２１              ＳＰ信号伝達特性算出部（算出手段）
２１ａ            ＳＰ信号伝達特性算出回路（伝達特性算出手段）
２１ｂ            ＳＰ信号伝達特性抽出回路（伝達特性抽出手段）
２２              ２次元フーリエ変換部（変換手段）
２２ｘ            ２次元フーリエ変換部（変換手段）
２３              ２次元フィルタ回路（フィルタ手段）
２４              ２次元逆フーリエ変換回路（生成手段）
２４ａ            逆フーリエ変換回路
２４ｂ            乗算回路
２４ｃ            フーリエ変換回路
２５              推定伝達特性出力回路
２６              フィルタ係数決定回路（供給手段）
２６ａ            電力算出回路（電力算出手段）
２６ｂ            平均雑音電力算出部（平均雑音電力算出手段）
２６ｃ            雑音抑制／窓係数算出回路（窓係数算出手段）
２６ｄ            エイリアシング分離回路（エイリアシング分離手段）
３０              データ復号部
【図１】
2009125500.tif 000003
【図２】
2009125500.tif 000004
【図３】
2009125500.tif 000005
【図４】
2009125500.tif 000006
【図５】
2009125500.tif 000007
【図６】
2009125500.tif 000008
【図７】
2009125500.tif 000009
【図８】
2009125500.tif 000010
【図９】
2009125500.tif 000011
【図１０】
2009125500.tif 000012
【図１１】
2009125500.tif 000013
【図１２】
2009125500.tif 000014
【図１３】
2009125500.tif 000015
【図１４】
2009125500.tif 000016
【図１５】
2009125500.tif 000017
【図１６】
2009125500.tif 000018
【図１７】
2009125500.tif 000019
【図１８】
2009125500.tif 000020
【図１９】
2009125500.tif 000021
【図２０】
2009125500.tif 000022
【図２１】
2009125500.tif 000023
【図２２】
2009125500.tif 000024
【図２３】
2009125500.tif 000025
【図２４】
2009125500.tif 000026
【図２５】
2009125500.tif 000027
【図２６】
2009125500.tif 000028
【図２７】
2009125500.tif 000029
【図２８】
2009125500.tif 000030
【図２９】
2009125500.tif 000031
【図３０】
2009125500.tif 000032
【図３１】
2009125500.tif 000033
【図３２】
2009125500.tif 000034
【図３３】
2009125500.tif 000035
【図３４】
2009125500.tif 000036
【図３５】
2009125500.tif 000037
【図３６】
2009125500.tif 000038
【図３７】
2009125500.tif 000039
【図３８】
2009125500.tif 000040
【図３９】
2009125500.tif 000041
【図４０】
2009125500.tif 000042
【図４１】
2009125500.tif 000043
【図４２】
2009125500.tif 000044
【図４３】
2009125500.tif 000045
【国際調査報告】
2009125500.tif 000046
2009125500.tif 000047
2009125500.tif 000048
2009125500.tif 000049